(57)【要約】  本開示は、情報指示方法、情報特定方法、端末及び基地局を提供する。前記情報指示方法は、第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することを含み、前記第２ＳＳＢは、関連するＲＭＳＩを有するＳＳＢを指す。【選択図】図１
2021510966.tif 000002
【特許請求の範囲】
【請求項１】
基地局に適用される情報指示方法であって、
第１ＳＳＢ（Ｓｙｓｔｅｍ  Ｓｙｎｃｈｒｏｎｉｚａｔｉｏｎ  Ｂｌｏｃｋ）内のＰＢＣＨ（Ｐｈｙｓｉｃａｌ  Ｂｒｏａｄｃａｓｔ  Ｃｈａｎｎｅｌ）の所定のパラメータを用いて、第１ＳＳＢには関連するＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）の有無、または、第１ＳＳＢには関連するＲＭＳＩがないことと、第２ＳＳＢが位置する同期グリッドの周波数オフセット情報とを指示することを含み、
ここで、前記第２ＳＳＢは、関連するＲＭＳを有するＳＳＢを指す、情報指示方法。
【請求項２】
前記の第１ＳＳＢ内のＰＢＣＨの所定のパラメータを用いて、第１ＳＳＢには関連するＲＭＳＩの有無を指示することは、
ＰＲＢ（Ｐｈｙｓｉｃａｌ  Ｒｅｓｏｕｒｃｅ  Ｂｌｏｃｋ）グリッドオフセットＰＲＢ−ｇｒｉｄ−ｏｆｆｓｅｔｓパラメータの値を用いて、第１ＳＳＢには関連するＲＭＳＩの有無を指示することを含む、請求項１に記載の情報指示方法。
【請求項３】
前記の第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを指示することは、
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することを含む、請求項１に記載の情報指示方法。
【請求項４】
前記のＰＲＢ−ｇｒｉｄ−ｏｆｆｓｅｔｓパラメータの値を用いて、第１ＳＳＢには関連するＲＭＳＩの有無を指示することは、
基地局が動作するＮＲ（Ｎｅｗ  Ｒａｄｉｏ）帯域は所定の周波数閾値より小さく、ｇは第１所定の閾値より大きい場合、前記第１ＳＳＢには関連するＲＭＳＩがないことを指示することと、
基地局が動作するＮＲ帯域は所定の周波数閾値より大きく、ｇは第２所定の閾値より大きい場合、前記第１ＳＳＢには関連するＲＭＳＩがないことを指示することと、を含み、
ｇはＰＲＢ−ｇｒｉｄ−ｏｆｆｓｅｔｓパラメータの値を表す、請求項２に記載の情報指示方法。
【請求項５】
前記第２ＳＳＢが位置する同期グリッドの周波数オフセット情報は、基地局が動作するＮＲ帯域内の周波数オフセット情報である、請求項１に記載の情報指示方法。
【請求項６】
第１ＳＳＢ内のＰＢＣＨの所定のパラメータを用いて、第２ＳＳＢが位置する同期グリッドの周波数オフセット情報を指示することは、
第２ＳＳＢが位置する同期グリッドのインデックスと現在の同期グリッドのインデックスとの間の差ｄを、
【数１１】
2021510966.tif 000014
の式によって指示することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項５に記載の情報指示方法。
【請求項７】
端末に適用される情報特定方法であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することを含み、
ここで、前記第２ＳＳＢは、関連するＲＭＳＩを有するＳＳＢを指す、情報特定方法。
【請求項８】
前記の第１ＳＳＢ内のＰＢＣＨの所定のパラメータを用いて、第１ＳＳＢには関連するＲＭＳＩの有無を特定することは、
ＰＲＢ−ｇｒｉｄ−ｏｆｆｓｅｔｓパラメータの値を用いて、前記第１ＳＳＢには関連するＲＭＳＩの有無を特定することを含む、請求項７に記載の情報特定方法。
【請求項９】
前記の第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを特定することは、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することを含む、請求項７に記載の情報特定方法。
【請求項１０】
ＰＲＢ−ｇｒｉｄ−ｏｆｆｓｅｔｓパラメータの値を用いて、前記第１ＳＳＢには関連するＲＭＳＩの有無を特定することは、
基地局が動作するＮＲ帯域は所定の周波数閾値より小さく、ｇは第１所定の閾値より大きい場合、前記第１ＳＳＢには関連するＲＭＳＩがないことを特定することと、
基地局が動作するＮＲ帯域は所定の周波数閾値より大きく、ｇは第２所定の閾値より大きい場合、前記第１ＳＳＢには関連するＲＭＳＩがないことを特定することと、を含み、
ｇはＰＲＢ−ｇｒｉｄ−ｏｆｆｓｅｔｓパラメータの値を表す、請求項７に記載の情報特定方法。
【請求項１１】
前記第２ＳＳＢが位置する同期グリッドの周波数オフセット情報は、基地局が動作するＮＲ帯域内の周波数オフセット情報である、請求項７に記載の情報特定方法。
【請求項１２】
前記の第１ＳＳＢ内のＰＢＣＨの所定のパラメータを用いて、第２ＳＳＢが位置する同期グリッドの周波数オフセット情報を特定することは、
第２ＳＳＢが位置する同期グリッドのインデックスと現在の同期グリッドのインデックスとの間の差ｄを、
【数１２】
2021510966.tif 000015
の式によって特定することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項１１に記載の情報特定方法。
【請求項１３】
基地局であって、トランシーバと、メモリと、プロセッサと、前記メモリに記憶されている、プロセッサ上で実行可能なプログラムとを含み、ここで、前記プロセッサが前記プログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することが実現され、
ここで、前記第２ＳＳＢは、関連するＲＭＳＩを有するＳＳＢを指す、基地局。
【請求項１４】
前記プロセッサが前記プログラムを実行すると、
ＰＲＢ−ｇｒｉｄ−ｏｆｆｓｅｔｓパラメータの値を用いて、第１ＳＳＢには関連するＲＭＳＩの有無を指示することが更に実現される、請求項１３に記載の基地局。
【請求項１５】
前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することが更に実現される、請求項１３に記載の基地局。
【請求項１６】
前記プロセッサが前記プログラムを実行すると、
基地局が動作するＮＲ帯域は所定の周波数閾値より小さく、ｇは第１所定の閾値より大きい場合、前記第１ＳＳＢには関連するＲＭＳＩがないことを指示することと、
基地局が動作するＮＲ帯域は所定の周波数閾値より大きく、ｇは第２所定の閾値より大きい場合、前記第１ＳＳＢには関連するＲＭＳＩがないことを指示することとが更に実現され、
ｇはＰＲＢ−ｇｒｉｄ−ｏｆｆｓｅｔｓパラメータの値を表す、請求項１３に記載の基地局。
【請求項１７】
前記第２ＳＳＢが位置する同期グリッドの周波数オフセット情報は、基地局が動作するＮＲ帯域内の周波数オフセット情報である、請求項１３に記載の基地局。
【請求項１８】
前記プロセッサが前記プログラムを実行すると、
第２ＳＳＢが位置する同期グリッドのインデックスと現在の同期グリッドのインデックスとの間の差ｄを、
【数１３】
2021510966.tif 000016
の式によって指示することが更に実現され、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項１７に記載の基地局。
【請求項１９】
プロセッサによって実行されると、請求項１から６のいずれか１項に記載の情報指示方法を実現するコンピュータプログラムを記憶しているコンピュータ可読記憶媒体。
【請求項２０】
端末であって、トランシーバと、メモリと、プロセッサと、前記メモリに記憶されている、前記プロセッサ上で実行可能なプログラムとを含み、ここで、前記プロセッサが前記プログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することが実現され、
ここで、前記第２ＳＳＢは、関連するＲＭＳＩを有するＳＳＢを指す、端末。
【請求項２１】
前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩの有無を特定することが更に実現される、請求項２０に記載の端末。
【請求項２２】
前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することが更に実現される、請求項２０に記載の端末。
【請求項２３】
前記プロセッサが前記プログラムを実行すると、
基地局が動作するＮＲ帯域は所定の周波数閾値より小さく、ｇは第１所定の閾値より大きい場合、前記第１ＳＳＢには関連するＲＭＳＩがないことを特定することと、
基地局が動作するＮＲ帯域は所定の周波数閾値より大きく、ｇは第２所定の閾値より大きい場合、前記第１ＳＳＢには関連するＲＭＳＩがないことを特定することとが更に実現され、
ｇはＰＲＢ−ｇｒｉｄ−ｏｆｆｓｅｔｓパラメータの値を表す、請求項２０に記載の端末。
【請求項２４】
前記第２ＳＳＢが位置する同期グリッドの周波数オフセット情報は、基地局が動作するＮＲ帯域内の周波数オフセット情報である、請求項２０に記載の端末。
【請求項２５】
前記プロセッサが前記プログラムを実行すると、
第２ＳＳＢが位置する同期グリッドのインデックスと現在の同期グリッドのインデックスとの間の差ｄを、
【数１４】
2021510966.tif 000017
の式によって特定することが更に実現され、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項２４に記載の端末。
【請求項２６】
プロセッサによって実行されると、請求項７から１２のいずれか１項に記載の情報特定方法を実現するコンピュータプログラムを記憶しているコンピュータ可読記憶媒体。
【請求項２７】
基地局であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することに用いられる指示モジュールを含み、
ここで、前記第２ＳＳＢは、関連するＲＭＳＩを有するＳＳＢを指す、基地局。
【請求項２８】
端末であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することに用いられる特定モジュールを含み、
ここで、前記第２ＳＳＢは、関連するＲＭＳＩを有するＳＳＢを指す、端末。
【発明の詳細な説明】
【技術分野】
【０００１】
本出願は、２０１８年１月１２日に中国で出願された中国特許出願２０１８１００３２５３０．２の優先権を主張し、その全ての内容が援用により本願に取り込まれる。
本開示は、通信アプリケーションの技術分野に関し、特に、情報指示方法、情報特定方法、端末及び基地局に関する。
【背景技術】
【０００２】
次世代のラジオエアインタフェースでは、基地局から送信されたＳＳＢ（ｓｙｓｔｅｍ  ｓｙｎｃｈｒｏｎｉｚａｔｉｏｎ  ｂｌｏｃｋ）には、関連するＲＭＳＩ（ｒｅｍａｉｎｉｎｇ  ｍｉｎｉｍｕｍ  ｓｙｓｔｅｍ  ｉｎｆｏｒｍａｔｉｏｎ、ＲＭＳＩ）を付帯しても、付帯しなくてもよい。ある１つのＳＳＢには、関連するＲＭＳＩを付帯する場合、そのＳＳＢがＣＤ−ＳＳＢ（ｃｅｌｌ−ｄｅｆｉｎｉｎｇ  ＳＳＢ）と呼ばれる。ある１つのＳＳＢには、関連するＲＭＳＩを付帯しない場合、そのＳＳＢがＲＲＭ（ｒａｄｉｏ  ｒｅｓｏｕｒｃｅ  ｍａｎａｇｅｍｅｎｔ）測定に使用され、ここではＲＲＭ−ＳＳＢと呼ばれる。ＣＤ−ＳＳＢは、同期ラスタ（ｓｙｎｃ−ｒａｓｔｅｒ）として定義された周波数位置で送信されなければならない。ＲＲＭ−ＳＳＢは、ＣＲＢ（ｃｏｍｍｏｎ  ｒｅｓｏｕｒｃｅ  ｂｌｏｃｋ）の周波数位置で伝送されてもよいし、ｓｙｎｃ−ｒａｓｔｅｒの周波数位置で伝送されてもよい。しかも、ｓｙｎｃ−ｒａｓｔｅｒの周波数とＣＲＢの周波数は、一部の周波数で重複する。
【０００３】
あるセルにアクセスしようとする場合、ＵＥは、アクセスするセルのＲＭＳＩを取得するために、最初に、ｓｙｎｃ−ｒａｓｔｅｒの周波数位置ごとに、ＣＤ−ＳＳＢを検索する必要がある。いくつかの周波数位置において、ｓｙｎｃ−ｒａｓｔｅｒの周波数位置とＣＲＢの周波数位置とが重複するので、ＵＥは、ＣＤ−ＳＳＢを検出する前にＲＲＭ−ＳＳＢ（ｒａｄｉｏ  ｒｅｓｏｕｒｃｅ  ｍａｎａｇｅｍｅｎｔ  ＳＳＢ）を検出し得る。このような状況で、ＲＲＭ−ＳＳＢを介してＣＤ−ＳＳＢを付帯する次のｓｙｎｃ−ｒａｓｔｅｒの周波数位置をＵＥに直接通知すると、ＵＥがＣＤ−ＳＳＢを１つ１つ検索する時間が大幅に短縮されるが、現在、非セル定義（ｎｏｎ−ｃｅｌｌ−ｄｅｆｉｎｉｎｇ）のＳＳＢを利用して次のＣＤ−ＳＳＢが位置するｓｙｎｃ−ｒａｓｔｅｒの周波数位置をどのようにＵＥへ通知するかに関する提案はない。
【発明の概要】
【発明が解決しようとする課題】
【０００４】
本開示その目的は、非セル定義のＳＳＢを利用して、次のＣＤ−ＳＳＢが位置するｓｙｎｃ−ｒａｓｔｅｒの周波数位置をどのようにＵＥへ通知するかに関する提案はない従来の問題点を解決する情報指示方法、情報特定方法、端末及び基地局を提供することである。
【課題を解決するための手段】
【０００５】
上記目的を達成するために、本開示は提供する、基地局に適用される情報指示方法は、
第１ＳＳＢ（ｓｙｓｔｅｍ  ｓｙｎｃｈｒｏｎｉｚａｔｉｏｎ  ｂｌｏｃｋ）内のＰＢＣＨ（ｐｈｙｓｉｃａｌ  ｂｒｏａｄｃａｓｔ  ｃｈａｎｎｅｌ）の所定のパラメータを用いて、第１ＳＳＢには関連するＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）の有無、または、第１ＳＳＢには関連するＲＭＳＩがないことと、第２ＳＳＢが位置する同期グリッドの周波数オフセット情報とを指示することを含み、
ここで、前記第２ＳＳＢは、関連するＲＭＳＩを有するＳＳＢを指す。
【０００６】
ここで、第１ＳＳＢ内のＰＢＣＨの所定のパラメータを用いて、第１ＳＳＢには関連するＲＭＳＩの有無を指示することは、
ＰＲＢ（Ｐｈｙｓｉｃａｌ  Ｒｅｓｏｕｒｃｅ  Ｂｌｏｃｋ）グリッドオフセット（ｇｒｉｄ−ｏｆｆｓｅｔｓ）パラメータの値を用いて、第１ＳＳＢには関連するＲＭＳＩの有無を指示することを含む。
【０００７】
ここで、第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを指示することは、
ＰＲＢグリッドオフセット（ＰＲＢ−ｇｒｉｄ−ｏｆｆｓｅｔｓ）パラメータの値を用いて、前記第１ＳＳＢには関連するＲＭＳＩがないことを指示し、ＲＭＳＩ物理下り制御チャネル設定（ＲＭＳＩ−ＰＤＣＣＨ−Ｃｏｎｆｉｇ）パラメータを用いて、第２ＳＳＢが位置する同期グリッドの周波数オフセット情報を指示することを含む。
【０００８】
ここで、ＰＲＢ−ｇｒｉｄ−ｏｆｆｓｅｔｓパラメータの値を用いて、第１ＳＳＢには関連するＲＭＳＩの有無を指示することは、
基地局が動作するＮＲ（ｎｅｗ  ｒａｄｉｏ）帯域は所定の周波数閾値より小さく、ｇは第１所定の閾値より大きい場合、前記第１ＳＳＢには関連するＲＭＳＩがないことを指示することと、
基地局が動作するＮＲ帯域は所定の周波数閾値より大きく、ｇは第２所定の閾値より大きい場合、前記第１ＳＳＢには関連するＲＭＳＩがないことを指示することと、を含み、
ｇは、ＰＲＢ−ｇｒｉｄ−ｏｆｆｓｅｔｓパラメータの値を表す。
【０００９】
ここで、前記第２ＳＳＢが位置する同期グリッドの周波数オフセット情報は、基地局が動作するＮＲ帯域内の周波数オフセット情報である。
【００１０】
ここで、第１ＳＳＢ内のＰＢＣＨの所定のパラメータを用いて、第２ＳＳＢが位置する同期グリッドの周波数オフセット情報を指示することは、
第２ＳＳＢが位置する同期グリッドのインデックスと現在の同期グリッドのインデックスとの間の差ｄを、
【数１】
2021510966.tif 000003
の式によって指示することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００１１】
上記目的を達成するために、本開示の実施例は更に提供する、端末に適用される情報特定方法は、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することを含み、
ここで、前記第２ＳＳＢは、関連するＲＭＳＩを有するＳＳＢを指す。
【００１２】
ここで、第１ＳＳＢ内のＰＢＣＨの所定のパラメータを用いて、第１ＳＳＢには関連するＲＭＳＩの有無を特定することは、
ＰＲＢ−ｇｒｉｄ−ｏｆｆｓｅｔｓパラメータの値を用いて、前記第１ＳＳＢには関連するＲＭＳＩの有無を特定することを含む。
【００１３】
第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを特定することは、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することを含む。
【００１４】
ここで、ＰＲＢ−ｇｒｉｄ−ｏｆｆｓｅｔｓパラメータの値を用いて、前記第１ＳＳＢには関連するＲＭＳＩの有無を特定することは、
基地局が動作するＮＲ帯域は所定の周波数閾値より小さく、ｇは第１所定の閾値より大きい場合、前記第１ＳＳＢには関連するＲＭＳＩがないことを特定することと、
基地局が動作するＮＲ帯域は所定の周波数閾値より大きく、ｇは第２所定の閾値より大きい場合、前記第１ＳＳＢには関連するＲＭＳＩがないことを特定することと、を含み、
ｇはＰＲＢ−ｇｒｉｄ−ｏｆｆｓｅｔｓパラメータの値を表す。
【００１５】
ここで、前記第２ＳＳＢが位置する同期グリッドの周波数オフセット情報は、基地局が動作するＮＲ帯域内の周波数オフセット情報である。
【００１６】
ここで、第１ＳＳＢ内のＰＢＣＨの所定のパラメータを用いて、第２ＳＳＢが位置する同期グリッドの周波数オフセット情報を特定することは、
第２ＳＳＢが位置する同期グリッドのインデックスと現在の同期グリッドのインデックスとの間の差ｄを、
【数２】
2021510966.tif 000004
の式によって特定することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００１７】
上記目的を達成するために、本開示の実施例は更に提供する基地局は、トランシーバと、メモリと、プロセッサと、前記メモリに記憶されている、プロセッサ上で実行可能なプログラムとを含み、ここで、前記プロセッサが前記プログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することが実現され、
ここで、前記第２ＳＳＢは、関連するＲＭＳＩを有するＳＳＢを指す。
【００１８】
ここで、前記プロセッサが前記プログラムを実行すると、
ＰＲＢ−ｇｒｉｄ−ｏｆｆｓｅｔｓパラメータの値を用いて、第１ＳＳＢには関連するＲＭＳＩの有無を指示することが実現される。
【００１９】
ここで、前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することが実現される。
【００２０】
ここで、前記プロセッサが前記プログラムを実行すると、
基地局が動作するＮＲ帯域は所定の周波数閾値より小さく、ｇは第１所定の閾値より大きい場合、前記第１ＳＳＢには関連するＲＭＳＩがないことを指示することと、
基地局が動作するＮＲ帯域は所定の周波数閾値より大きく、ｇは第２所定の閾値より大きい場合、前記第１ＳＳＢには関連するＲＭＳＩがないことを指示することと、が実現され、
ｇはＰＲＢ−ｇｒｉｄ−ｏｆｆｓｅｔｓパラメータの値を表す。
【００２１】
ここで、第２ＳＳＢが位置する同期グリッドの周波数オフセット情報は、基地局が動作するＮＲ帯域内の周波数オフセット情報である。
【００２２】
ここで、前記プロセッサが前記プログラムを実行すると、
第２ＳＳＢが位置する同期グリッドのインデックスと現在の同期グリッドのインデックスとの間の差ｄを、
【数３】
2021510966.tif 000005
の式によって指示することが実現され、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００２３】
上記目的を達成するために、本開示の実施例は、プロセッサによって実行されると、上記の情報指示方法を実現するプログラムを記憶しているコンピュータ可読記憶媒体を更に提供する。
【００２４】
上記目的を達成するために、本開示の実施例は更に提供する端末は、トランシーバと、メモリと、プロセッサと、前記メモリに記憶されている、プロセッサ上で実行可能なプログラムとを含み、ここで、前記プロセッサが前記プログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することが実現され、
ここで、前記第２ＳＳＢは、関連するＲＭＳＩを有するＳＳＢを指す。
【００２５】
ここで、前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩの有無を特定することが実現される。
【００２６】
ここで、前記プロセッサが前記プログラムを実行すると、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することが実現される。
【００２７】
ここで、前記プロセッサが前記プログラムを実行すると、
基地局が動作するＮＲ帯域は所定の周波数閾値より小さく、ｇは第１所定の閾値より大きい場合、前記第１ＳＳＢには関連するＲＭＳＩがないことを特定することと、
基地局が動作するＮＲ帯域は所定の周波数閾値より大きく、ｇは第２所定の閾値より大きい場合、前記第１ＳＳＢには関連するＲＭＳＩがないことを特定することと、が実現され、
ｇはＰＲＢ−ｇｒｉｄ−ｏｆｆｓｅｔｓパラメータの値を表す。
【００２８】
ここで、前記第２ＳＳＢが位置する同期グリッドの周波数オフセット情報は、基地局が動作するＮＲ帯域内の周波数オフセット情報である。
【００２９】
ここで、前記プロセッサが前記プログラムを実行すると、
第２ＳＳＢが位置する同期グリッドのインデックスと現在の同期グリッドのインデックスとの間の差ｄを、
【数４】
2021510966.tif 000006
の式によって特定することが実現され、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００３０】
上記目的を達成するために、本開示の実施例は、プロセッサによって実行されると、上記の情報特定方法を実現するプログラムを記憶しているコンピュータ可読記憶媒体を更に提供する。
【００３１】
上記目的を達成するために、本開示は更に提供する基地局は、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することに用いられる指示モジュールを含み、
ここで、前記第２ＳＳＢは、関連するＲＭＳＩを有するＳＳＢを指す。
【００３２】
上記目的を達成するために、本開示は更に提供する端末は、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することに用いられる特定モジュールを含み、
ここで、前記第２ＳＳＢは、関連するＲＭＳＩを有するＳＳＢを指す。
【発明の効果】
【００３３】
本発明の実施例は、本開示の実施例に係る上記の技術手段により、端末が所定のパラメータに基づいて、アクセスするセルのＲＭＳＩを迅速に取得することができるように、ＳＳＢには関連するＲＭＳＩがないことと、関連するＲＭＳＩを有する次のＳＳＢが位置する同期グリッドの周波数オフセット情報とを、非セル定義のＳＳＢ内のＰＢＣＨの所定のパラメータによって指示することによって、非セル定義のＳＳＢを利用して、次のＣＤ−ＳＳＢが位置するｓｙｎｃ−ｒａｓｔｅｒの周波数位置をＵＥに通知する目的を達成するという有益な効果を有する。
【図面の簡単な説明】
【００３４】
【図１】図１は本開示の実施例に係る情報指示方法のフローチャートである。
【図２】図２は本開示の実施例に係る情報特定方法のフローチャートである。
【図３】図３は本開示の実施例に係る基地局の構成図である。
【図４】図４は本開示の実施例に係る基地局のモジュール概略図である。
【図５】図５は本開示の実施例に係る端末の構成図である。
【図６】図６は本開示の実施例に係る端末のモジュール概略図である。
【発明を実施するための形態】
【００３５】
本開示が解決しようとする問題点、技術手段、及びメリットをより明確にするために、特定の実施例および添付の図面を参照して以下に詳細に説明する。
【００３６】
図１に示すように、本開示の実施例が提供する、基地局に適用される情報指示方法は、
ステップ１０１：第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することを含み、
ここで、前記第２ＳＳＢは、関連するＲＭＳＩを有するＳＳＢを指す。
【００３７】
ここで、第１ＳＳＢ内のＰＢＣＨの所定のパラメータの値により、該第１ＳＳＢに関連するＲＭＳＩの有無を指示することができる。
【００３８】
第１ＳＳＢ内のＰＢＣＨの所定のパラメータの値が、第１ＳＳＢには関連するＲＭＳＩを有することを示す場合、該第１ＳＳＢはＣＤ−ＳＳＢである。
【００３９】
なお、第１ＳＳＢ内のＰＢＣＨの所定のパラメータを用いて、第１ＳＳＢには関連するＲＭＳＩがないこと、第２ＳＳＢが位置する同期グリッドの周波数オフセット情報を指示する場合、本実施例では、
１）基地局ＢＳが設定したＳＳＢ送信周期はＲＭＳＩ送信周期より短いため、ＢＳはＣＤ−ＳＳＢと同じｓｙｎｃ−ｒａｓｔｅｒの周波数位置でＲＲＭ−ＳＳＢを送信するケースと、
２）ＢＳは、あるＣＲＢ周波数位置でＲＲＭ−ＳＳＢを送信し、該ＣＲＢ周波数位置は、ｓｙｎｃ−ｒａｓｔｅｒの周波数位置にあるケースと
が考えられ、
ここで、１番目のケースについては、ネットワークは、ＲＲＭ−ＳＳＢ内のＰＢＣＨの所定のパラメータを介して、検出されたＳＳＢは、ＲＭＳＩを付帯しないＲＲＭ−ＳＳＢであるが、ＣＤ−ＳＳＢのｓｙｎｃ−ｒａｓｔｅｒの周波数位置は、検出されたＲＲＭ−ＳＳＢと同じであることを端末ＵＥに通知する必要がある。すなわち、ＣＤ−ＳＳＢを有する次のｓｙｎｃ−ｒａｓｔｅｒまでの周波数オフセットはゼロである。
【００４０】
２番目のケースについては、ネットワークは、ＲＲＭ−ＳＳＢ内のＰＢＣＨの所定のパラメータを介して、検出されたＳＳＢはＲＲＭ−ＳＳＢであることをＵＥに通知する必要がある一方、ネットワークは、ＣＤ−ＳＳＢを有する次のｓｙｎｃ−ｒａｓｔｅｒまでの周波数オフセットをＵＥに更に通知する必要がある。
【００４１】
本開示の実施例に係る情報指示方法は、端末が所定のパラメータに基づいて、アクセスするセルのＲＭＳＩを迅速に取得することができるように、ＳＳＢには関連するＲＭＳＩがないことと、関連するＲＭＳＩを有する次のＳＳＢが位置する同期グリッドの周波数オフセット情報とを、非セル定義のＳＳＢ内のＰＢＣＨの所定のパラメータによって指示することによって、非セル定義のＳＳＢを利用して、次のＣＤ−ＳＳＢが位置するｓｙｎｃ−ｒａｓｔｅｒの周波数位置をＵＥに通知する目的を達成する。
【００４２】
選択的な実現方式として、上記のステップ１０１は、
ステップ１０１１：ＰＲＢ−ｇｒｉｄ−ｏｆｆｓｅｔｓパラメータの値を用いて、第１ＳＳＢには関連するＲＭＳＩの有無を指示することを含み、
ここで、ＰＲＢ−ｇｒｉｄ−ｏｆｆｓｅｔｓパラメータの値は、第１ＳＳＢには関連するＲＭＳＩを有することを指示する場合、第１ＳＳＢはＣＤ−ＳＳＢであることが示され、ＵＥがアクセスするセルのＲＭＳＩを直接に取得することができる。本開示の実施例におけるＰＲＢグリッドオフセットは、ＰＢＣＨにおける同期サブキャリアオフセットｓｓｂ−ｓｕｂｃａｒｒｉｅｒ−ｏｆｆｓｅｔとも呼ばれ得る。
【００４３】
なお、キャリア周波数が６ＧＨｚより低い場合、関連するＲＭＳＩを有するＳＳＢ  ＰＲＢの境界とＲＭＳＩ  ＰＲＢとの間のサブキャリアオフセットは、２４個の可能な値を有するものである。ＮＲには、５ビットのＰＲＢ−ｇｒｉｄ−ｏｆｆｓｅｔｓを用いて、可能なサブキャリアオフセット値を指示する。５ビットは、３２個の可能な値を指示できるので、上記の２４個の可能な値を指示するために使用されることに加えて、残りの８個の可能な値は、ＳＳＢには関連するＲＭＳＩがないことを指示するために使用されることができる。
【００４４】
キャリア周波数が６ＧＨｚよりも高い場合、関連するＲＭＳＩを有するＳＳＢ  ＰＲＢの境界とＲＭＳＩ  ＰＲＢとの間のサブキャリアオフセットは、１２個の可能な値を有する。
【００４５】
ＮＲには、４ビットのＰＲＢ−ｇｒｉｄ−ｏｆｆｓｅｔｓを用いて、可能なサブキャリアオフセット値を指示する。４ビットは１６個の可能な値を指示できるので、上記の１２個の可能な値を指示するために使用されることに加えて、残りの４個の可能な値は、ＳＳＢには関連するＲＭＳＩがないことを指示するために使用されることができる。
【００４６】
よって、選択的に、ステップ１０１１は、具体的に、
ステップ１０１１１：基地局が動作するＮＲ帯域は所定の周波数閾値より小さく、ｇは第１所定の閾値より大きい場合、前記第１ＳＳＢには関連するＲＭＳＩがないことを指示することと、
ステップ１０１１２：基地局が動作するＮＲ帯域は所定の周波数閾値より大きく、ｇは第２所定の閾値より大きい場合、前記第１ＳＳＢには関連するＲＭＳＩがないことを指示することとを更に含み、
ｇはＰＲＢ−ｇｒｉｄ−ｏｆｆｓｅｔｓパラメータの値を表す。
【００４７】
本開示の実施例における所定の周波数閾値は、具体的に６ＧＨｚであり、第１所定の閾値は、具体的に２３であり、第２所定の閾値は、具体的に１１である。
【００４８】
ここで、ステップ１０１１１とステップ１０１１２は、２つの並列なステップである。
【００４９】
別の選択的な実施例として、上記のステップ１０１は、
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することを更に含む。
【００５０】
なお、第２ＳＳＢが位置する同期グリッドの周波数オフセット情報は、ＰＢＣＨ内のＲＭＳＩ−ＰＤＣＣＨ−Ｃｏｎｆｉｇパラメータだけではなく、ＰＢＣＨ内の他のパラメータも用いて、指示されてもよい。
【００５１】
ここで、上記のステップ１０１１で言及するように、キャリア周波数が６ＧＨｚよりも低い場合、ＮＲには、５ビットのＰＲＢ−ｇｒｉｄ−ｏｆｆｓｅｔｓを用いて、可能なサブキャリアオフセット値を指示する。ここで、残りの８個の可能な値は、ＳＳＢには関連するＲＭＳＩがないことを指示するために使用されてもよく、また、ＲＭＳＩ−ＰＤＣＣＨ−Ｃｏｎｆｉｇ（８ビット）とともに使用され、ｓｙｎｃ−ｒａｓｔｅｒの周波数オフセットを指示してもよい。ここで、指示可能なｓｙｎｃ−ｒａｓｔｅｒの周波数オフセット位置の最大数は、８＊２８＝８＊２５６＝２０４８となる。
キャリア周波数が６ＧＨｚより高い場合、ＮＲには、４ビットのＰＲＢ−ｇｒｉｄ−ｏｆｆｓｅｔｓを用いて、可能なサブキャリアオフセット値を指示する。ここで、残りの４個の可能な値は、ＳＳＢには関連するＲＭＳＩがないことを指示するために使用されてもよく、また、ＲＭＳＩ−ＰＤＣＣＨ−Ｃｏｎｆｉｇ（８ビット）とともに使用され、ｓｙｎｃ−ｒａｓｔｅｒの周波数オフセットを指示してもよい。ここで、指示可能なｓｙｎｃ−ｒａｓｔｅｒの周波数オフセット位置の最大数は、４＊２８＝４＊２５６＝１０２４となる。
ここで、ＮＲは、０ＧＨｚ〜２．６５ＧＨｚ、２．４ＧＨｚ〜２４．２５ＧＨｚ、及び２４．２５ＧＨｚ〜１００ＧＨｚの３つの周波数範囲で、それぞれのｓｙｎｃ−ｒａｓｔｅｒを定義する。ＮＲは、６〜２４．２５ＧＨｚの周波数範囲での帯域が定義されないため、実際には、０ＧＨｚ〜２．６５ＧＨｚ、２．４ＧＨｚ〜６ＧＨｚ、２４．２５ＧＨｚ〜１００ＧＨｚの周波数範囲でＲＲＭ−ＳＳＢ内のＰＢＣＨのパラメーター、すなわちＲＭＳＩ−ＰＤＣＣＨ−Ｃｏｎｆｉｇパラメーターを介して、ＣＤ−ＳＳＢを有する次のｓｙｎｃ−ｒａｓｔｅｒまでの周波数オフセットを如何に指示するかを検討するだけで十分である。
【００５２】
さらに、０ＧＨｚ〜２．６５ＧＨｚ、２．４ＧＨｚ〜２４．２５ＧＨｚ、２４．２５ＧＨｚ〜１００ＧＨｚの３つの周波数範囲でのｓｙｎｃ−ｒａｓｔｅｒの総数は、それぞれ８８３２、１５１７４、４３８４である。ＲＲＭ−ＳＳＢ内のＰＢＣＨのパラメーターを介して指示されるＣＤ−ＳＳＢを有する次のｓｙｎｃ−ｒａｓｔｅｒまでの周波数オフセット範囲には制限があり、つまり、キャリア周波数が６ＧＨｚより低い場合、指示可能なｓｙｎｃ−ｒａｓｔｅｒの周波数オフセット位置の最大数は８＊２５６＝２０４８に制限されるため、キャリア周波数が６ＧＨｚより高い場合、指示可能なｓｙｎｃ−ｒａｓｔｅｒの周波数オフセット位置の最大数は４  ＊  ２５６＝１０２４に制限される。よって、ＳＳＢ内のＰＢＣＨのパラメーターにより、０ＧＨｚ〜２．６５ＧＨｚ、２．４ＧＨｚ〜６ＧＨｚ及び２４．２５ＧＨｚ〜１００ＧＨｚの周波数範囲内のすべてのｓｙｎｃ−ｒａｓｔｅｒを指示することができない。
０ＧＨｚ〜２．６５ＧＨｚ、２．４ＧＨｚ〜６ＧＨｚ及び２４．２５ＧＨｚ〜１００ＧＨｚの周波数範囲では、ＮＲ帯域の最大帯域幅はそれぞれ９０ＭＨｚ、９００ＭＨｚ及び３．２５ＧＨｚである。よって、この実施例では、ＳＳＢ内のＰＢＣＨのパラメータを用いて、周波数範囲内の帯域の帯域幅内のｓｙｎｃ−ｒａｓｔｅｒの周波数オフセット位置を指示する。
【００５３】
具体的には、０ＧＨｚ〜２．６５ＧＨｚ、２．４ＧＨｚ〜６ＧＨｚ、及び２４．２５ＧＨｚ〜１００ＧＨｚの周波数範囲におけるＮＲ帯域の最大帯域幅と、それらの周波数範囲におけるＮＲのｓｙｎｃ−ｒａｓｔｅｒ定義とに基づいて、各周波数範囲の１つのＮＲ帯域でのｓｙｎｃ−ｒａｓｔｅｒ位置の最大数を取得できる。以下では詳細を説明する。
【００５４】
０ＧＨｚ〜２．６５ＧＨｚの周波数範囲については、ｓｙｎｃ−ｒａｓｔｅｒ位置の最大数は９０ＭＨｚ／９００ｋＨｚ＊３＝３００となり、
２．４ＧＨｚ〜６ＧＨｚの周波数範囲については、ｓｙｎｃ−ｒａｓｔｅｒ位置の最大数は９００ＭＨｚ／１．４４ＭＨｚ／３＝２０８となり、
２４．２５ＧＨｚ〜１００ＧＨｚの周波数範囲については、ｓｙｎｃ−ｒａｓｔｅｒ位置の最大数は３．２５ＧＨｚ／１７．２８ＭＨｚ＝１８８となり。
よって、本実施例には、選択的に、前記第２ＳＳＢが位置する同期グリッドの周波数オフセット情報は、基地局が動作するＮＲ帯域内の周波数オフセット情報である。
【００５５】
これに基づいて、選択的なの実施として、ステップ１０１における第１ＳＳＢ内のＰＢＣＨの所定のパラメータを用いて、第２ＳＳＢが位置する同期グリッドの周波数オフセット情報を指示することは、
第２ＳＳＢが位置する同期グリッドのインデックスと現在の同期グリッドのインデックスとの間の差ｄを、
【数５】
2021510966.tif 000007
の式によって指示することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００５６】
ここで、本実施例は、以下の３つのアプリケーションシナリオに適用されることができる。
ａ）３つの異なる周波数範囲に基づいて、ＣＤ−ＳＳＢを有する次のｓｙｎｃ−ｒａｓｔｅｒの周波数オフセット位置を指示する。
０ＧＨｚ〜２．６５ＧＨｚの周波数範囲の場合、指示されるべきｓｙｎｃ−ｒａｓｔｅｒ位置の数はＮ＝３００となり、
２．４ＧＨｚ−６ＧＨｚの周波数範囲の場合、指示されるべきｓｙｎｃ−ｒａｓｔｅｒ位置の数はＮ＝２０８となり、
２４．２５ＧＨｚ−１００ＧＨｚの周波数範囲の場合、指示されるべきｓｙｎｃ−ｒａｓｔｅｒ位置の数はＮ＝１８８となる。
ｂ）２つの異なる周波数範囲に基づいて、ＣＤ−ＳＳＢを有する次のｓｙｎｃ−ｒａｓｔｅｒの周波数オフセット位置を指示する。
周波数範囲が６ＧＨｚ以下である場合、指示されるべきｓｙｎｃ−ｒａｓｔｅｒ位置の数はＮ＝３００となり、
周波数範囲が６ＧＨｚ以上である場合、指示されるべきｓｙｎｃ−ｒａｓｔｅｒ位置の数はＮ＝１８８となる。
ｃ）指示にされるＣＤ−ＳＳＢを有する次のｓｙｎｃ−ｒａｓｔｅｒの周波数オフセット位置は、周波数範囲に依存せず、指示されるべきｓｙｎｃ−ｒａｓｔｅｒ位置の数はＮ＝３００となる。
具体的には、仮にある周波数範囲内のｓｙｎｃ−ｒａｓｔｅｒ位置の数がＮであれば、次のｓｙｎｃ−ｒａｓｔｅｒの可能な値の範囲は［−Ｎ＋１、Ｎ−１］となり、ここで、Ｎは、上記のアプリケーションシナリオで指示されるべきｓｙｎｃ−ｒａｓｔｅｒ位置の数に限定されない。
【００５７】
選択的に、ｃ１は２５６であり、ｃ２は５１２である。
【００５８】
ここで、具体的な実施手段を表１に示す。
【表１】
2021510966.tif 000008
【００５９】
なお、上記の表には、周波数範囲が６ＧＨｚ以下である場合、ＰＲＢ  ｇｒｉｄ  ｏｆｆｓｅｔパラメーターに、８個の残り値、つまり｛２４，２５、．．．、３１｝が利用可能である。周波数範囲が６ＧＨｚ以上である場合、ＰＲＢ  ｇｒｉｄ  ｏｆｆｓｅｔパラメーターに、４個の残り値、つまり｛１２，１３，１４，１５｝が利用可能である。表１で使用されるＰＲＢ  ｇｒｉｄ  ｏｆｆｓｅｔパラメーターにおける残り値を、他の値に置き換えてもよい。
【００６０】
本開示の実施例に係る情報指示方法は、端末が所定のパラメータに基づいて、アクセスするセルのＲＭＳＩを迅速に取得することができるように、ＳＳＢには関連するＲＭＳＩがないことと、関連するＲＭＳＩを有する次のＳＳＢが位置する同期グリッドの周波数オフセット情報とを、非セル定義の１つのＳＳＢ内のＰＢＣＨの所定のパラメータによって指示することによって、非セル定義のＳＳＢを利用して、次のＣＤ−ＳＳＢが位置するｓｙｎｃ−ｒａｓｔｅｒの周波数位置をＵＥに通知する目的を達成する。
【００６１】
図２に示すように、本開示の実施例が更に提供する、端末に適用される情報特定方法は、
ステップ２０１：第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することを含み、
ここで、前記第２ＳＳＢは、関連するＲＭＳＩを有するＳＳＢを指す。
【００６２】
選択的な実現方式として、上記のステップ２０１は、
ＰＲＢ−ｇｒｉｄ−ｏｆｆｓｅｔｓパラメータの値を用いて、前記第１ＳＳＢには関連するＲＭＳＩの有無を特定するステップ２０１１を含む。
【００６３】
選択的な実現方式として、上記のステップ２０１は、
ステップ２０１１１：基地局が動作するＮＲ帯域は所定の周波数閾値より小さく、ｇは第１所定の閾値より大きい場合、前記第１ＳＳＢには関連するＲＭＳＩがないことを特定することと、
ステップ２０１１２：基地局が動作するＮＲ帯域は所定の周波数閾値より大きく、ｇは第２所定の閾値より大きい場合、前記第１ＳＳＢには関連するＲＭＳＩがないことを特定することと、を含み、
ｇはＰＲＢ−ｇｒｉｄ−ｏｆｆｓｅｔｓパラメータの値を表す。
【００６４】
ここで、ステップ２０１１１とステップ２０１１２は、２つの並列なステップである。
【００６５】
選択的な実現方式として、上記のステップ２０１は、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することを更に含んでもよい。
【００６６】
本開示の実施例におけるＰＲＢグリッドオフセットは、ＰＢＣＨにおける同期サブキャリアオフセットｓｓｂ−ｓｕｂｃａｒｒｉｅｒ−ｏｆｆｓｅｔとも呼ばれ得る。
【００６７】
なお、第２ＳＳＢが位置する同期グリッドの周波数オフセット情報は、ＰＢＣＨ内のＲＭＳＩ−ＰＤＣＣＨ−Ｃｏｎｆｉｇパラメータだけではなく、ＰＢＣＨ内の他のパラメータも用いて、特定されてもよい。
【００６８】
また、上記の説明によれば、本開示の実施例では、ＳＳＢ内のＰＢＣＨのパラメータを用いて、周波数範囲内の帯域の帯域幅内のｓｙｎｃ−ｒａｓｔｅｒの周波数オフセット位置を指示する。よって、本実施例には、選択的に、前記第２ＳＳＢが位置する同期グリッドの周波数オフセット情報は、基地局が動作するＮＲ帯域内の周波数オフセット情報である。
【００６９】
上記に基づいて、選択的な実現方式として、ステップ２０１における第１ＳＳＢ内のＰＢＣＨの所定のパラメータを用いて、第２ＳＳＢが位置する同期グリッドの周波数オフセット情報を特定することは、
第２ＳＳＢが位置する同期グリッドのインデックスと現在の同期グリッドのインデックスとの間の差ｄを、
【数６】
2021510966.tif 000009
の式によって特定することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００７０】
この式は、基地局側の方法の実施例で詳細に説明されたため、ここでは贅言をしない。
【００７１】
本開示の実施例による情報特定方法には、第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することによって、非セル定義のＳＳＢを利用して、次のＣＤ−ＳＳＢが位置するｓｙｎｃ−ｒａｓｔｅｒの周波数位置をＵＥに通知する目的を達成する。
【００７２】
図３に示すように、本開示の実施例は、トランシーバと、メモリと、プロセッサと、前記メモリに記憶されている、プロセッサ上で実行可能なコンピュータープログラムとを含む基地局を更に提供し、前記プロセッサは、前記コンピュータープログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示するステップが実現され、
ここで、前記第２ＳＳＢは、関連するＲＭＳＩを有するＳＳＢを指す。
【００７３】
ここで、図３において、バスアーキテクチャは、任意数の相互接続するバスとブリッジを含み、具体的に、プロセッサ３００をはじめとする１つ又は複数のプロセッサとメモリ３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３１０は、複数の部品であってもよく、即ち送信機と受信機を含み、伝送媒体でほかの各種類の装置と通信するユニットとして提供される。プロセッサ３００は、バスアーキテクチャと通常の処理を管理する。メモリ３２０は、プロセッサ３００による操作実行に使用されるデータを記憶できる。
【００７４】
プロセッサ３００は、バスアーキテクチャと通常の処理を管理する。メモリ３２０は、プロセッサ３００による操作実行に使用されるデータを記憶できる。
【００７５】
プロセッサ３００は、メモリ３２０内のプログラムを読み取り、ＰＲＢ−ｇｒｉｄ−ｏｆｆｓｅｔｓパラメータの値を用いて、第１ＳＳＢには関連するＲＭＳＩの有無を指示するステップを実行することに更に用いられる。
【００７６】
プロセッサ３００は、メモリ３２０内のプログラムを読み取り、ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示するステップを実行することに更に用いられる。
【００７７】
プロセッサ３００は、メモリ３２０内のプログラムを読み取り、基地局が動作するＮＲ帯域は所定の周波数閾値より小さく、ｇは第１所定の閾値より大きい場合、前記第１ＳＳＢには関連するＲＭＳＩがないことを指示し、
基地局が動作するＮＲ帯域は所定の周波数閾値より大きく、ｇは第２所定の閾値より大きい場合、前記第１ＳＳＢには関連するＲＭＳＩがないことを指示するステップと、を実行することに更に用いられ、
ｇはＰＲＢ−ｇｒｉｄ−ｏｆｆｓｅｔｓパラメータの値を表す。
【００７８】
選択的に、前記第２ＳＳＢが位置する同期グリッドの周波数オフセット情報は、基地局が動作するＮＲ帯域内の周波数オフセット情報である。
【００７９】
プロセッサ３００は、メモリ３２０内のプログラムを読み取り、
第２ＳＳＢが位置する同期グリッドのインデックスと現在の同期グリッドのインデックスとの間の差ｄを、
【数７】
2021510966.tif 000010
の式によって指示するステップを実行することに更に用いられ、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００８０】
本開示の一部の実施例には、コンピュータプログラムを記憶しているコンピュータ可読記憶媒体を提供する。コンピュータプログラムが、プロセッサによって実行されると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示するステップを実現する。
ここで、前記第２ＳＳＢは、関連するＲＭＳＩを有するＳＳＢを指す。
【００８１】
該プログラムはプロセッサに実行されると、端末側に適用される情報指示方法の実施例に係るすべての実現方式を実現し得、繰り返しを避けるため、ここでは贅言をしない。
【００８２】
図４に示すように、本開示の実施例が更に提供する基地局は、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することに用いられる指示モジュール４０１を含み、
ここで、前記第２ＳＳＢは、関連するＲＭＳＩを有するＳＳＢを指す。
【００８３】
本開示の実施例による基地局については、前記指示モジュール４０１が、ＰＲＢ−ｇｒｉｄ−ｏｆｆｓｅｔｓパラメータの値を用いて、第１ＳＳＢには関連するＲＭＳＩの有無を指示することに用いられる。
【００８４】
本開示の実施例による基地局については、前記指示モジュール４０１が、ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することに用いられる。
【００８５】
本開示の実施例による基地局については、前記指示モジュール４０１が、基地局が動作するＮＲ帯域は所定の周波数閾値より小さく、ｇは第１所定の閾値より大きい場合、前記第１ＳＳＢには関連するＲＭＳＩがないことを指示することに用いられ、また、
基地局が動作するＮＲ帯域は所定の周波数閾値より大きく、ｇは第２所定の閾値より大きい場合、前記第１ＳＳＢには関連するＲＭＳＩがないことを指示することに用いられ、
ｇはＰＲＢ−ｇｒｉｄ−ｏｆｆｓｅｔｓパラメータの値を表す。
【００８６】
本開示の実施例による基地局については、前記第２ＳＳＢが位置する同期グリッドの周波数オフセット情報は、基地局が動作するＮＲ帯域内の周波数オフセット情報である。
【００８７】
本開示の実施例による基地局については、前記指示モジュール４０１が、第２ＳＳＢが位置する同期グリッドのインデックスと現在の同期グリッドのインデックスとの間の差ｄを、
【数８】
2021510966.tif 000011
の式によって指示することに用いられ、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００８８】
本開示の実施例による基地局については、端末が所定のパラメータに基づいて、アクセスするセルのＲＭＳＩを迅速に取得することができるように、ＳＳＢには関連するＲＭＳＩがないことと、関連するＲＭＳＩを有する次のＳＳＢが位置する同期グリッドの周波数オフセット情報とを、非セル定義の１つのＳＳＢ内のＰＢＣＨの所定のパラメータによって指示することによって、非セル定義のＳＳＢを利用して、次のＣＤ−ＳＳＢが位置するｓｙｎｃ−ｒａｓｔｅｒの周波数位置をＵＥに通知する目的を達成する。
【００８９】
図３に示すように、本開示の実施例は、トランシーバと、メモリと、プロセッサと、前記メモリに記憶されている、プロセッサ上で実行可能なプログラムとを含む端末を更に提供し、前記プロセッサは、前記プログラムを実行すると、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定するステップが実現され、
ここで、前記第２ＳＳＢは、関連するＲＭＳＩを有するＳＳＢを指す。
【００９０】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットとして提供される。ユーザ端末によっては、ユーザインタフェース５３０は、内部接続や外部接続する機器のインタフェースであってもよい。接続する機器は、キーパッド、ディスプレイ、スピーカ、マイクロフォン、ジョイスティックなどを含むが、それらに限られない。
【００９１】
プロセッサ５００は、バスアーキテクチャと通常の処理を管理する。メモリ５２０は、プロセッサ５００による操作実行に使用されるデータを記憶できる。
プロセッサ５００は、メモリ５２０内のプログラムを読み取り、ＰＲＢ−ｇｒｉｄ−ｏｆｆｓｅｔｓパラメータの値を用いて、前記第１ＳＳＢには関連するＲＭＳＩの有無を特定するステップを実行することに用いられる。
【００９２】
プロセッサ５００は、メモリ５２０内のプログラムを読み取り、ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定するステップを実行することに更に用いられる。
【００９３】
プロセッサ５００は、メモリ５２０内のプログラムを読み取り、
基地局が動作するＮＲ帯域は所定の周波数閾値より小さく、ｇは第１所定の閾値より大きい場合、前記第１ＳＳＢには関連するＲＭＳＩがないことを特定し、
基地局が動作するＮＲ帯域は所定の周波数閾値より大きく、ｇは第２所定の閾値より大きい場合、前記第１ＳＳＢには関連するＲＭＳＩがないことを特定するステップと、を実行することに更に用いられ、
ｇはＰＲＢ−ｇｒｉｄ−ｏｆｆｓｅｔｓパラメータの値を表す。
【００９４】
選択的に、前記第２ＳＳＢが位置する同期グリッドの周波数オフセット情報は、基地局が動作するＮＲ帯域内の周波数オフセット情報である。
【００９５】
プロセッサ５００は、メモリ５２０内のプログラムを読み取り、
第２ＳＳＢが位置する同期グリッドのインデックスと現在の同期グリッドのインデックスとの間の差ｄを、
【数９】
2021510966.tif 000012
の式によって特定するステップを実行することに用いられ、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【００９６】
本開示の一部の実施例は、コンピュータプログラムを記憶しているコンピュータ可読記憶媒体を更に提供する。
コンピュータプログラムがプロセッサによって実行されると、第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定するステップを実現する。
ここで、前記第２ＳＳＢは、関連するＲＭＳＩを有するＳＳＢを指す。
【００９７】
該プログラムはプロセッサに実行されると、端末側に適用される情報特定方法の実施例に係るすべての実現方式を実現し得、繰り返しを避けるため、ここでは贅言をしない。
【００９８】
図６に示すように、本開示の実施例が更に提供する端末は、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することに用いられる特定モジュール６０１を含み、
ここで、前記第２ＳＳＢは、関連するＲＭＳＩを有するＳＳＢを指す。
【００９９】
本開示の実施例による端末については、前記特定モジュールが、ＰＲＢ−ｇｒｉｄ−ｏｆｆｓｅｔｓパラメータの値を用いて、前記第１ＳＳＢには関連するＲＭＳＩの有無を特定することに用いられる。
【０１００】
本開示の実施例による端末については、前記特定モジュールが、ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することに用いられる。
【０１０１】
本開示の実施例による端末については、前記特定モジュールが、基地局が動作するＮＲ帯域は所定の周波数閾値より小さく、ｇは第１所定の閾値より大きい場合、前記第１ＳＳＢには関連するＲＭＳＩがないことを特定し、また、
基地局が動作するＮＲ帯域は所定の周波数閾値より大きく、ｇは第２所定の閾値より大きい場合、前記第１ＳＳＢには関連するＲＭＳＩがないことを特定することに用いられ、
ｇはＰＲＢ−ｇｒｉｄ−ｏｆｆｓｅｔｓパラメータの値を表す。
【０１０２】
本開示の実施例による端末については、前記第２ＳＳＢが位置する同期グリッドの周波数オフセット情報は、基地局が動作するＮＲ帯域内の周波数オフセット情報である。
【０１０３】
本開示の実施例による端末については、前記特定モジュールが、第２ＳＳＢが位置する同期グリッドのインデックスと現在の同期グリッドのインデックスとの間の差ｄを、
【数１０】
2021510966.tif 000013
の式によって特定することに用いられ、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい。
【０１０４】
本開示の実施例による端末については、第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することにより、非セル定義のＳＳＢを利用して、次のＣＤ−ＳＳＢが位置するｓｙｎｃ−ｒａｓｔｅｒの周波数位置をＵＥに通知する目的を達成する。
【０１０５】
本開示の様々な実施例において、上述のプロセスの順序番号は、実行の順序を意味するものではなく、各プロセスの実行の順序は、その機能及び内部ロジックに応じて特定されるべきであり、本開示の実施例の実施プロセスに対するいかなる限定も構成しない。
【０１０６】
上記の説明は、本開示の選択的な実施例であり、当業者であれば、本開示の原理から逸脱することなく、本開示の保護範囲と同様に考慮されるべきいくつかの改良及び修飾を行うことができる。
【図１】
2021510966.tif 000018
【図２】
2021510966.tif 000019
【図３】
2021510966.tif 000020
【図４】
2021510966.tif 000021
【図５】
2021510966.tif 000022
【図６】
2021510966.tif 000023
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
基地局に適用される情報指示方法であって、
第１ＳＳＢ（Ｓｙｓｔｅｍ  Ｓｙｎｃｈｒｏｎｉｚａｔｉｏｎ  Ｂｌｏｃｋ）内のＰＢＣＨ（Ｐｈｙｓｉｃａｌ  Ｂｒｏａｄｃａｓｔ  Ｃｈａｎｎｅｌ）の所定のパラメータを用いて、第１ＳＳＢには関連するＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）の有無、または、第１ＳＳＢには関連するＲＭＳＩがないことと、第２ＳＳＢが位置する同期グリッドの周波数オフセット情報とを指示することを含み、
ここで、前記第２ＳＳＢは、関連するＲＭＳを有するＳＳＢを指す、情報指示方法。
【請求項２】
前記の第１ＳＳＢ内のＰＢＣＨの所定のパラメータを用いて、第１ＳＳＢには関連するＲＭＳＩの有無を指示することは、
ＰＲＢ（Ｐｈｙｓｉｃａｌ  Ｒｅｓｏｕｒｃｅ  Ｂｌｏｃｋ）グリッドオフセットＰＲＢ−ｇｒｉｄ−ｏｆｆｓｅｔｓパラメータの値を用いて、第１ＳＳＢには関連するＲＭＳＩの有無を指示することを含む、請求項１に記載の情報指示方法。
【請求項３】
前記の第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを指示することは、
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示することを含む、請求項１に記載の情報指示方法。
【請求項４】
前記のＰＲＢ−ｇｒｉｄ−ｏｆｆｓｅｔｓパラメータの値を用いて、第１ＳＳＢには関連するＲＭＳＩの有無を指示することは、
基地局が動作するＮＲ（Ｎｅｗ  Ｒａｄｉｏ）帯域は所定の周波数閾値より小さく、ｇは第１所定の閾値より大きい場合、前記第１ＳＳＢには関連するＲＭＳＩがないことを指示することと、
基地局が動作するＮＲ帯域は所定の周波数閾値より大きく、ｇは第２所定の閾値より大きい場合、前記第１ＳＳＢには関連するＲＭＳＩがないことを指示することと、を含み、
ｇはＰＲＢ−ｇｒｉｄ−ｏｆｆｓｅｔｓパラメータの値を表す、請求項２に記載の情報指示方法。
【請求項５】
前記第２ＳＳＢが位置する同期グリッドの周波数オフセット情報は、基地局が動作するＮＲ帯域内の周波数オフセット情報である、請求項１に記載の情報指示方法。
【請求項６】
第１ＳＳＢ内のＰＢＣＨの所定のパラメータを用いて、第２ＳＳＢが位置する同期グリッドの周波数オフセット情報を指示することは、
第２ＳＳＢが位置する同期グリッドのインデックスと現在の同期グリッドのインデックスとの間の差ｄを、
【数１】
2021510966.tif 000024
の式によって指示することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項５に記載の情報指示方法。
【請求項７】
端末に適用される情報特定方法であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することを含み、
ここで、前記第２ＳＳＢは、関連するＲＭＳＩを有するＳＳＢを指す、情報特定方法。
【請求項８】
前記の第１ＳＳＢ内のＰＢＣＨの所定のパラメータを用いて、第１ＳＳＢには関連するＲＭＳＩの有無を特定することは、
ＰＲＢ−ｇｒｉｄ−ｏｆｆｓｅｔｓパラメータの値を用いて、前記第１ＳＳＢには関連するＲＭＳＩの有無を特定することを含む、請求項７に記載の情報特定方法。
【請求項９】
前記の第１ＳＳＢ内のＰＢＣＨの所定のパラメータを用いて、第１ＳＳＢには関連するＲＭＳＩがないことと、第２ＳＳＢが位置する同期グリッドの周波数オフセット情報とを特定することは、
ＰＲＢ−ｇｒｉｄ−ｏｆｆｓｅｔｓパラメータの値を用いて、前記第１ＳＳＢには関連するＲＭＳＩがないことを特定し、ＲＭＳＩ−ＰＤＣＣＨ−Ｃｏｎｆｉｇパラメータを用いて、第２ＳＳＢが位置する同期グリッドの周波数オフセット情報を特定することを含む、請求項７に記載の情報特定方法。
【請求項１０】
ＰＲＢ−ｇｒｉｄ−ｏｆｆｓｅｔｓパラメータの値を用いて、前記第１ＳＳＢには関連するＲＭＳＩの有無を特定することは、
基地局が動作するＮＲ帯域は所定の周波数閾値より小さく、ｇは第１所定の閾値より大きい場合、前記第１ＳＳＢには関連するＲＭＳＩがないことを特定することと、
基地局が動作するＮＲ帯域は所定の周波数閾値より大きく、ｇは第２所定の閾値より大きい場合、前記第１ＳＳＢには関連するＲＭＳＩがないことを特定することと、を含み、
ｇはＰＲＢ−ｇｒｉｄ−ｏｆｆｓｅｔｓパラメータの値を表す、請求項７に記載の情報特定方法。
【請求項１１】
前記第２ＳＳＢが位置する同期グリッドの周波数オフセット情報は、基地局が動作するＮＲ帯域内の周波数オフセット情報である、請求項７に記載の情報特定方法。
【請求項１２】
前記の第１ＳＳＢ内のＰＢＣＨの所定のパラメータを用いて、第２ＳＳＢが位置する同期グリッドの周波数オフセット情報を特定することは、
第２ＳＳＢが位置する同期グリッドのインデックスと現在の同期グリッドのインデックスとの間の差ｄを、
【数２】
2021510966.tif 000025
の式によって特定することを含み、
ここで、基地局が動作するＮＲ帯域は所定の周波数閾値より小さく、ｇは第１値である場合か、または、基地局が動作するＮＲ帯域は所定の周波数閾値より大きく、ｇは第２値である場合、ｎ＝ｍ、
基地局が動作するＮＲ帯域は所定の周波数閾値より小さく、ｇは第３値である場合か、または基地局が動作するＮＲ帯域が所定の周波数閾値より大きく、ｇは第４値である場合、ｎ＝ｍ＋ｃ１、
基地局が動作するＮＲ帯域は所定の周波数閾値より小さく、ｇは第５数値である場合、ｎ＝ｍ＋ｃ２、
ｇはＰＲＢ−ｇｒｉｄ−ｏｆｆｓｅｔｓパラメータの値を表し、ｍはＲＭＳＩ−ＰＤＣＣＨ−Ｃｏｎｆｉｇパラメータの値を表し、ｃ１及びｃ２は、いずれも所定の正の値であり、且つｃ１＜ｃ２、前記第１値、前記第３値及び前記第５値は、いずれも第１所定の閾値より大きく、前記第２値及び前記第４値は、いずれも第２所定の閾値より大きい、請求項１１に記載の情報特定方法。
【請求項１３】
基地局であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを指示することに用いられる指示モジュールを含み、
ここで、前記第２ＳＳＢは、関連するＲＭＳＩを有するＳＳＢを指す、基地局。
【請求項１４】
前記指示モジュールは、さらに
ＰＲＢ−ｇｒｉｄ−ｏｆｆｓｅｔｓパラメータの値を用いて、前記第１ＳＳＢには関連するＲＭＳＩの有無を指示すること、
又は
ＰＲＢ−ｇｒｉｄ−ｏｆｆｓｅｔｓパラメータの値を用いて、前記第１ＳＳＢには関連するＲＭＳＩがないことを指示し、ＲＭＳＩ−ＰＤＣＣＨ−Ｃｏｎｆｉｇパラメータを用いて、第２ＳＳＢが位置する同期グリッドの周波数オフセット情報を指示すること、
又は
基地局が動作するＮＲ帯域は所定の周波数閾値より小さく、ｇは第１所定の閾値より大きい場合、前記第１ＳＳＢには関連するＲＭＳＩがないことを指示すること、
又は
基地局が動作するＮＲ帯域は所定の周波数閾値より大きく、ｇは第２所定の閾値より大きい場合、前記第１ＳＳＢには関連するＲＭＳＩがないことを指示することに用いられ、
ｇはＰＲＢ−ｇｒｉｄ−ｏｆｆｓｅｔｓパラメータの値を表す、請求項１３に記載の基地局。
【請求項１５】
端末であって、
第１ＳＳＢ内のＰＢＣＨの所定のパラメータを用いて、第１ＳＳＢには関連するＲＭＳＩの有無、または、第１ＳＳＢには関連するＲＭＳＩがないことと、第２ＳＳＢが位置する同期グリッドの周波数オフセット情報とを特定することに用いられる特定モジュールを含み、
ここで、前記第２ＳＳＢは、関連するＲＭＳＩを有するＳＳＢを指す、端末。
【国際調査報告】
2021510966.tif 000026
2021510966.tif 000027
2021510966.tif 000028
2021510966.tif 000029